(57)【要約】 【課題】  簡単な構造にして、かつ強度の高い空き缶をも小さい力で持って押し潰すことができる空き缶プレスを提供する。【解決手段】  台板１に支柱２を立設し、この支柱２に、摺動部材３と操作レバ−４と押圧棒５とからなる押圧機構部１０を配設する。摺動部材３は、水平棒状であって支柱２に挿通されている。この摺動部材３に操作レバー４の基端を枢着して操作レバー４を上下回動自在とする。さらに、操作レバー４の基端側の途中に押圧棒５を揺動自在に垂下する。押圧棒６真下の台板１には缶収納容器７を載置する。缶収納容器７内に空き缶を投入したうえに操作レバー４を下方に回動することにより、押圧棒５により空き缶を小さく押し潰すことができる。【選択図】    図２
2005131670.tif 000002
【特許請求の範囲】
【請求項１】
台板に立設された支柱に上下スライド可能に挿通された摺動部材と、この摺動部材に基端が枢着されて上下回動自在な操作レバーと、該操作レバーの枢着位置から離間して操作レバーの途中に垂下された押圧棒とからなり、該押圧棒は前記操作レバ−の下方への回動により台板上の空き缶を押し潰すものであることを特徴とする空き缶プレス。
【請求項２】
押圧棒下方の台板に缶収納容器を載置して、押し潰し時の空き缶の転倒を防止した請求項１に記載の空き缶プレス。
【請求項３】
缶収納容器が載置される台板面に孔部を設けるとともに、缶収納容器の底の裏面には、前記孔部に遊嵌される位置決め用突起を下向きに設けた請求項２に記載の空き缶プレス。
【請求項４】
缶収納容器の内部の底面に、押圧力を局部的に集中させるための隆起を設けた請求項２または３に記載の空き缶プレス。
【発明の詳細な説明】
【技術分野】
【０００１】
本発明は、小さい力で持って空き缶を押し潰すことができる空き缶プレスに関するものである。
【背景技術】
【０００２】
空き缶は軽量であるが嵩張るので、リサイクルなどで回収する際に運搬、保管の効率が悪い。そこで、空き缶を小さく押し潰すことが必要となるが、このための空き缶押し潰し用機器として、例えば特許文献１、２に開示されたものが知られている。しかし、特許文献１に記載された空き缶押し潰し器は、アルミ缶専用の小型のものであって、スチール缶などの強度の高い缶を十分押し潰すことができない。また、特許文献２に記載された手動式小型プレスは、ラック・ピニオン機構、クラッチ手段などを備えているために構造が複雑になって、製造コストが高くなるという問題があった。
【特許文献１】特開２００１−１９８６９９号公報  (図１)
【特許文献２】特開平７−９６３９９号公報  (図１)
【発明の開示】
【発明が解決しようとする課題】
【０００３】
本発明は上記した従来の問題点を解決して、簡単な構造にして、かつ強度の高い空き缶をも小さい力で持って押し潰すことができる空き缶プレスを提供するためになされたものである。
【課題を解決するための手段】
【０００４】
上記の課題を解決するためになされた本発明の空き缶プレスは、台板に立設された支柱に上下スライド可能に挿通された摺動部材と、この摺動部材に基端が枢着されて上下回動自在な操作レバーと、該操作レバーの枢着位置から離間して操作レバーの途中に垂下された押圧棒とからなり、該押圧棒は前記操作レバ−の下方への回動により台板上の空き缶を押し潰すものであることを特徴とする。なお、押圧棒下方の台板に缶収納容器を載置して、押し潰し時の空き缶の転倒を防止することができ、また、缶収納容器が載置される台板面に孔部を設けるとともに、缶収納容器の底の裏面には、前記孔部に遊嵌される位置決め用突起を下向きに設けることができ、さらに、缶収納容器の内部の底面に、押圧力を局部的に集中させるための隆起を設けることができる。
【発明の効果】
【０００５】
本発明の空き缶プレスは、支柱に摺動部材を上下スライド可能に挿通し、この摺動部材に操作レバーの基端を枢着して操作レバーを上下回動自在としたうえに、該操作レバーの途中に押圧棒を垂下したので、操作レバーを下方に回動することによって押圧棒により台板上の空き缶を押し潰すことができる。また、押圧棒下方の台板に缶収納容器を載置することにより、空き缶の転倒を防止して空き缶を押し潰すことができる。また、缶収納容器の底の裏面に設けた突起を、台板面に設けた孔部に遊嵌して、空き缶の位置決めを行うことができるし、押圧棒の揺動に対応して缶収納容器の位置を微調整することができる。さらに、缶収納容器の内部の底面に隆起を設けたので、押圧力を局部的に集中させて小さい力で空き缶を押し潰すことができる。
【発明を実施するための最良の形態】
【０００６】
以下に図面を参照しつつ本発明の好ましい実施形態を説明する。図１は本発明の空き缶プレスを示す図であって、１は台板、２は台板１に立設された支柱である。また、１０は押圧機構部であって、この押圧機構部１０は、摺動部材３と操作レバー４と押圧棒５とからなる。
【０００７】
前記摺動部材３は水平棒状であって、一端に挿通孔３１を有し、この挿通孔３１に支柱２が挿し込まれているが、挿通孔３１は支柱２を丁度挿し込める程度の寸法としてあるので摺動部材３が自重で下方にずれ落ちることはない。摺動部材３の一端には棒状の操作レバー４の基端が締結具３２により上下回動自在に枢着されており、他端には操作用の把持部４１が設けられている。そして、操作レバー４の基端の締結具３２から若干離間して、操作レバー４の途中に押圧棒５が締結具４２により枢着されており、この押圧棒５は操作レバー４に揺動自在に垂下されている。押圧棒５の下端には空き缶の直径程度の円板６が固定されており、この円板６は空き缶の上部に当接される。押圧棒５は、操作レバー４の回動により締結具４２が円弧運動するので、これに追随して左右に揺動する。
【０００８】
押圧棒６真下の台板１には、押し潰し時に缶の転倒を防止するための缶収納容器７が載置されている。缶収納容器７は上部が開口された円筒形のものであって、押し潰しにより拡径された空き缶が収容できる程度の内径である。この缶収納容器７は底部裏面に下向きの突起８が設けられており、一方、台板１の上面には突起８が遊びを持って嵌め込まれる孔部９が設けられている。したがって、缶収納容器７の突起８を台板１の孔部９に挿し込めば、缶収納容器７の位置を決めることができる。また、突起８は孔部９に遊嵌されているので、操作レバー４の回動により揺動する押圧棒５に対応して、空き缶収納容器７を横方向に微小移動させて位置合わせを行うことができる。
【０００９】
空き缶を押し潰すに際して、先ず図１に示すように、押圧機構部１０を支柱２の上部にまでスライドさせたのち、缶収納容器７を台板１の所定の位置に載置する。次いで、缶収納容器７内に空き缶を投入する。缶投入後は、図２に示すように押圧機構部１０を下方にスライドさせて空き缶の上端に円板６を当接する。そして、操作レバー４を下方に回動させれば摺動部材３が横に押されて支柱２を押圧する。したがって、締結具３２を支点として押圧棒５を下方に押し下げることができるので、空き缶を若干押し潰すことができる（図３）。
【００１０】
次いで、操作レバー４を上方に回動することによって、操作レバー４による摺動部材３の横方向への押圧が一旦解除されるので、押圧機構部１０を手動で下方に移動させることができる（図４）。したがって、再び空き缶を押し潰すことが可能となる。このような操作レバー４の回動を数回繰り返すことによって、図５に示すように空き缶を小さく押し潰すことができる。なお、缶収納容器７の内部の底面に円錐状、半紡錘体状などの隆起を設けることによって押圧力を局部的に集中させて空き缶を容易に押し潰すことができる。
【００１１】
押圧棒５の上下方向の移動ストロークを空き缶の高さ程度にとっておけば、一回の操作レバー４の回動により空き缶を小さく押し潰すことも可能である。
空き缶押し潰し後は、図６に示すように、押圧機構部１０を上昇させて、缶収納容器７を台板１から取り外せば、缶収納容器７の中の空き缶を取出すことができる。
【図面の簡単な説明】
【００１２】
【図１】空き缶を収納容器に投入中の状態を示す空き缶プレスの正面図である。
【図２】空き缶を潰す直前の状態を示す空き缶プレスの正面図である。
【図３】空き缶を押し潰し中の状態を示す空き缶プレスの正面図である。
【図４】操作レバーを上方に回動中の状態を示す空き缶プレスの正面図である。
【図５】空き缶を押し潰し完了した状態を示す空き缶プレスの正面図である。
【図６】空き缶を取り出し中である空き缶プレスの正面図である。
【符号の説明】
【００１３】
１  台板
２  支柱
３  摺動部材  
４  操作レバー
５  押圧棒
６  円板
７  缶収納容器
８  突起
９  孔部
１０  押圧機構部
【図１】
2005131670.tif 000003
【図２】
2005131670.tif 000004
【図３】
2005131670.tif 000005
【図４】
2005131670.tif 000006
【図５】
2005131670.tif 000007
【図６】
2005131670.tif 000008